(57)【要約】【課題】インク堆積曲線計算機構を提供する。【解決手段】システムが開示される。システムは、インク堆積曲線計算論理を記憶する数なくとも一つの物理的メモリ・デバイスと、前記少なくとも一つの物理的メモリ・デバイスと結合された一つまたは複数のプロセッサとを有する。プロセッサは前記インク堆積曲線計算論理を実行して、複数の色平面のそれぞれについてのヒストグラムを受領し、前記複数の色平面のそれぞれについてのインク測定データを受領し、前記複数の色平面のそれぞれについてのインク堆積曲線データを、前記ヒストグラムおよび前記インク測定データに基づいて計算し、前記インク堆積曲線データを送信することを実行させる。【選択図】図３
2019151103.tif 000002
【特許請求の範囲】
【請求項１】
命令が記憶されている少なくとも一つのコンピュータ可読媒体であって、前記命令は、一つまたは複数のプロセッサによって実行されたときに前記プロセッサに：
複数の色平面のそれぞれについてのヒストグラムを受領する段階と；
前記複数の色平面のそれぞれについてのインク測定データを受領する段階と；
前記複数の色平面のそれぞれについてのインク堆積曲線データを、前記ヒストグラムおよび前記インク測定データに基づいて計算する段階と；
前記インク堆積曲線データを送信する段階とを実行させるものである、
コンピュータ可読媒体。
【請求項２】
前記一つまたは複数のプロセッサによって実行されたときに前記プロセッサにさらに、複数の色平面のそれぞれについて前記ヒストグラムを生成させる命令が記憶されている、請求項１記載のコンピュータ可読媒体。
【請求項３】
複数の色平面のそれぞれについて前記ヒストグラムを生成することが：
試験印刷ジョブを受領し；
前記試験印刷ジョブに基づいて、前記複数の色平面のそれぞれに対応する連続階調画像を生成し；
前記連続階調画像に基づいて前記複数の色平面のそれぞれについて前記ヒストグラムを生成することを含む、
請求項２記載のコンピュータ可読媒体。
【請求項４】
前記一つまたは複数のプロセッサによって実行されたときに前記プロセッサにさらに、前記複数の色平面のそれぞれについて前記インク測定データを計算させる命令が記憶されている、請求項３記載のコンピュータ可読媒体。
【請求項５】
前記複数の色平面のそれぞれについて前記インク測定データを計算することが：
プリンター設定データをプリンターに適用し；
適用されたプリンター設定データに基づいて前記プリンターにおいて前記試験ジョブを印刷し；
前記試験印刷ジョブの印刷の間に消費されたインクの体積を示す、前記前記複数の色平面のそれぞれについての生の測定されたインク使用量を受領し；
前記生の測定されたインク使用量と、前記複数の色平面のそれぞれについてのフラッシュ・インク使用量とに基づいて、前記複数の色平面のそれぞれについて前記インク測定データを計算することを含む、
請求項４記載のコンピュータ可読媒体。
【請求項６】
前記複数の色平面のそれぞれについて前記インク測定データを計算することがさらに、印刷される前記試験印刷ジョブにおける画像の数を判別することを含む、請求項５記載のコンピュータ可読媒体。
【請求項７】
前記インク測定データが、前記試験印刷ジョブを印刷するために消費されたインクおよび前記試験印刷ジョブの印刷の間に実行されるフラッシュ動作の間に消費されたインクの測定値を含む、請求項５記載のコンピュータ可読媒体。
【請求項８】
前記一つまたは複数のプロセッサによって実行されたときに前記プロセッサにさらに、前記インク測定データを受領するのに先立って前記プリンターを較正させる命令が記憶されている、請求項５記載のコンピュータ可読媒体。
【請求項９】
前記インク堆積曲線データを送信することが、前記インク堆積曲線データをグラフィカル・ユーザー・インターフェースにおいて表示することを含む、請求項１記載のコンピュータ可読媒体。
【請求項１０】
前記複数の色平面のそれぞれについてインク堆積曲線データを計算することが、インク・モデルを使用する、請求項１記載のコンピュータ可読媒体。
【請求項１１】
インク堆積曲線計算論理を記憶する数なくとも一つの物理的メモリ・デバイスと；
前記少なくとも一つの物理的メモリ・デバイスと結合された一つまたは複数のプロセッサとを有する印刷システムであって、前記一つまたは複数のプロセッサは前記インク堆積曲線計算論理を実行して、複数の色平面のそれぞれについてのヒストグラムを受領し、前記複数の色平面のそれぞれについてのインク測定データを受領し、前記複数の色平面のそれぞれについてのインク堆積曲線データを、前記ヒストグラムおよび前記インク測定データに基づいて計算し、前記インク堆積曲線データを送信することを実行させる、印刷システム。
【請求項１２】
前記インク堆積曲線計算論理は、複数の色平面のそれぞれについて前記ヒストグラムを生成する、請求項１１記載の印刷システム。
【請求項１３】
複数の色平面のそれぞれについて前記ヒストグラムを生成することが：
試験印刷ジョブを受領し；
前記試験印刷ジョブに基づいて、前記複数の色平面のそれぞれに対応する連続階調画像を生成し；
前記連続階調画像に基づいて前記複数の色平面のそれぞれについて前記ヒストグラムを生成することを含む、
請求項１２記載の印刷システム。
【請求項１４】
前記インク堆積曲線計算論理が、前記複数の色平面のそれぞれについて前記インク測定データを計算する、請求項１３記載の印刷システム。
【請求項１５】
さらにプリンターを有する請求項１４記載の印刷システムであって、前記複数の色平面のそれぞれについて前記インク測定データを計算することが：
プリンター設定データをプリンターに適用し；
適用されたプリンター設定データに基づいて前記プリンターにおいて前記試験ジョブを印刷し；
前記試験印刷ジョブの印刷の間に消費されたインクの体積を示す、前記前記複数の色平面のそれぞれについての生の測定されたインク使用量を受領し；
前記生の測定されたインク使用量と、前記複数の色平面のそれぞれについてのフラッシュ・インク使用量とに基づいて、前記複数の色平面のそれぞれについて前記インク測定データを計算することを含む、
請求項１４記載の印刷システム。
【請求項１６】
前記複数の色平面のそれぞれについて前記インク測定データを計算することがさらに、印刷される前記試験印刷ジョブにおける画像の数を判別することを含む、請求項１５記載の印刷システム。
【請求項１７】
前記インク測定データが、前記試験印刷ジョブを印刷するために消費されたインクおよび前記試験印刷ジョブの印刷の間に実行されるフラッシュ動作の間に消費されたインクの測定値を含む、請求項１５記載の印刷システム。
【請求項１８】
前記インク堆積曲線計算論理、前記インク測定データを受領するのに先立って前記プリンターを較正する較正論理を含む、請求項１５記載の印刷システム。
【請求項１９】
前記インク堆積曲線データを送信することが、前記インク堆積曲線データをグラフィカル・ユーザー・インターフェースにおいて表示することを含む、請求項１１記載の印刷システム。
【請求項２０】
前記複数の色平面のそれぞれについてインク堆積曲線データを計算することが、インク・モデルを使用する、請求項１１記載の印刷システム。
【発明の詳細な説明】
【技術分野】
【０００１】
本発明は、印刷システムの分野に、詳細には印刷システムのためのインク堆積曲線の決定に関する。
【背景技術】
【０００２】
市販用および会計用プリンターにおいて、最適な印刷性能を保証するためにはさまざまなシステム設定が与えられる必要がある。一つのそのようなプリンター設定は、インク堆積曲線である。これは、種々のグレー・レベルについてプリンターにおいて堆積されるピクセルにおけるインクの平均量（または単位面積当たりのインク）のベクトル（たとえばオフラインで測定される）である。グレー・レベルが増すにつれてより多くのインクが与えられ、白についてはインクは適用されない。しかしながら、プリンターのためのインク堆積曲線を決定する通常の方法は、ハーフトーン化動作を実行することを要求する。これは、ハーフトーン・デザインの詳細な知識を必要とし、計算集約的である。
【発明の概要】
【発明が解決しようとする課題】
【０００３】
よって、プリンターのためのインク堆積曲線を計算するための改善された機構が望まれている。
【課題を解決するための手段】
【０００４】
ある実施形態では、方法が開示される。本方法は、複数の色平面〔カラー・プレーン〕のそれぞれについてのヒストグラムを受領し、前記複数の色平面のそれぞれについてのインク測定データを受領し、前記複数の色平面のそれぞれについてのインク堆積曲線データを、前記ヒストグラムおよび前記インク測定データに基づいて計算し、前記インク堆積曲線データを送信することを含む。
【図面の簡単な説明】
【０００５】
本発明のよりよい理解が、下記の図面との関連での下記の詳細な説明から得られる。
【０００６】
【図１】印刷システムのある実施形態のブロック図である。
【０００７】
【図２】印刷システムのもう一つの実施形態のブロック図である。
【０００８】
【図３】インク堆積曲線計算プロセスを実行するためのある実施形態を示す流れ図である。
【０００９】
【図４】ヒストグラムを生成するためのプロセスのある実施形態を示す流れ図である。
【００１０】
【図５】インク使用推定値を計算するプロセスのある実施形態を示す流れ図である。
【００１１】
【図６】インク堆積曲線を計算するプロセスのある実施形態を示すグラフィックな流れ図である。
【００１２】
【図７】コンピュータ・システムのある実施形態を示す図である。
【発明を実施するための形態】
【００１３】
印刷システムのためのインク堆積曲線を計算する機構が記載される。以下の記述では、説明の目的のため、本発明の十全な理解を与えるよう数多くの個別的詳細が記載される。しかしながら、本発明がこうした個別的詳細のいくつかがなくても実施されうることは当業者には明白であろう。他方、よく知られた構造および装置は、本発明の基礎になる原理を埋没させるのを避けるために、ブロック図の形で示されている。
【００１４】
本明細書における「一つの実施形態」または「ある実施形態」への言及は、その実施形態との関連で記載される特定の特徴、構造または特性が本発明の少なくとも一つの実施形態に含まれることを意味する。本明細書の随所で「ある実施形態では」という句が現われるが、必ずしもみなが同じ実施形態を指しているのではない。
【００１５】
本稿を通じて、「論理」、「コンポーネント」、「モジュール」、「エンジン」、「モデル」などのような用語は交換可能に言及されることがあり、例として、ソフトウェア、ハードウェアおよび／またはソフトウェアとハードウェアの任意の組み合わせ、たとえばファームウェアを含みうる。さらに、特定のブランド、単語、用語、句、名称および／または頭字語が使われたとしても、それは実施形態を、製品または本稿以外の文献においてそのラベルを担持するソフトウェアまたはデバイスに限定するものと読まれるべきではない。
【００１６】
図１は、印刷システム１３０のある実施形態を示すブロック図である。ホスト・システム１１０が、プリンター１６０を介してシート・イメージ１２０を印刷媒体１８０（たとえば紙）に印刷するよう、印刷システム１３０と通信する。結果として得られる印刷媒体１８０はカラーで、および／または白黒を含むいくつものグレー階調のうちの任意のもの（たとえばシアン、マゼンタ、イエローおよびブラック（CMYK））で印刷されてもよい。ホスト・システム１１０は、パーソナル・コンピュータ、サーバーまたはさらにはデジタル撮像装置、たとえばデジタル・カメラもしくはスキャナーのような、任意のコンピューティング装置を含みうる。
【００１７】
シート・イメージ１２０は、印刷媒体１８０のシート上にどのように像が印刷されるべきかを記述する任意のファイルまたはデータでありうる。たとえば、シート・イメージ１２０は、ポストスクリプト・データ、プリンター命令言語（PCL）データおよび／または他の任意のプリンター言語データを含みうる。印刷コントローラ１４０はシート・イメージを処理して、プリンター１６０を介した印刷媒体１８０への印刷のためにビットマップ１５０を生成する。印刷システム１３０は、比較的大量に（たとえば毎分100ページ超）印刷するよう動作可能な高速プリンターであってもよい。印刷媒体１８０は連続用紙、カットシート用紙および／または印刷に好適な他の任意の有体な媒体であってもよい。印刷システム１３０は、一般化された形では、シート・イメージ１２０に基づいて、ビットマップ１５０を（たとえばトナー、インクなどを介して）印刷媒体１８０に呈するプリンター１６０を含む。
【００１８】
印刷コントローラ１４０は、印刷媒体１８０への印刷に従うビットマップ１５０を生成するためにシート・イメージ１２０を変換するよう動作可能ないかなるシステム、装置、ソフトウェア、回路および／または他の好適なコンポーネントであってもよい。この点で、印刷コントローラ１４０は処理およびデータ記憶機能を含んでいてもよい。印刷コントローラ１４０およびプリンター１６０はいずれも、同じ装置においてまたは結合をもつ別個の装置において実装されうる。
【００１９】
印刷測定モジュール１９０は、色ごとに媒体１８０上に印刷されるインクのスペクトル情報（たとえば印刷測定データ）を測定し、処理するよう動作可能な任意のシステム、装置、ソフトウェア、回路および／または他の好適なコンポーネントでありうる。ある実施形態では、印刷測定モジュール１９０は、媒体１８０に印刷される試験印刷ジョブの画像の光学密度（OD:  optical  density）のような印刷測定データを得るための分光光度計として実装される。印刷測定モジュール１９０は、該印刷測定データを、インク堆積曲線の決定などのプロセスで使われるよう、印刷コントローラ１４０と通信する。印刷測定モジュール１９０は、単体のプロセスであってもよく、あるいは印刷システム１３０に統合されていてもよい。
【００２０】
ある実施形態によれば、プリンター１６０は、インク測定モジュール１６５を含む。インク測定モジュール１６５は、色ごとにプリンター１６０によるインク使用量（たとえばインク測定データ）を測定し、処理するよう動作可能な任意のシステム、装置、ソフトウェア、回路および／または他の好適なコンポーネントでありうる。ある実施形態では、インク測定データは、特定のジョブまたはいくつかのページを印刷するために使われる各原色についてのインクの総量（体積または質量）を含む。
【００２１】
インク測定モジュール１６５は、インク測定データを、インク堆積曲線の決定などのプロセスで使われるよう、印刷コントローラ１４０と通信する。インク測定モジュール１６５は、ポンプ、流量計、計量装置、インク滴カウンター、インク滴サイズ・データおよびインク測定データを生成するために好適な関連する処理の任意の組み合わせを含みうる。インク測定モジュール１６５は単体のプロセスであってもよく、あるいはプリンター１６０に統合されていてもよい。
【００２２】
さらに、印刷コントローラ１４０からのラスタ化された（たとえばRIP）データの測定が、各色平面について印刷データのヒストグラムを生成するために使われる。この場合、ヒストグラムは、前記のインク測定に対応する同じ特定の印刷ジョブまたはいくつかのページについて、それぞれの入力デジタル・カウントまたはグレー・レベルについて何個の出力画素が印刷されたかを示す。ヒストグラム・データは、個々のグレー・レベルについての画素カウント・データをもつビンをもつのではなく、より幅広いビンを使ってある範囲のグレー・レベルについての合計画素カウントをもってもよい。
【００２３】
図２は、プリンター１６０に結合された印刷コントローラ１４０のある実施形態を示すブロック図である。印刷コントローラ１４０（たとえばDFEすなわちデジタル・フロントエンド）は、その一般化された形では、解釈器モジュール２１２と、インク堆積曲線計算論理２２０とを含む。一方、プリンター１６０はハーフトーン化モジュール２１４と、較正モジュール２１６とを含む。他の実施形態では、ハーフトーン化モジュール２１４および／または較正モジュールはいずれも印刷コントローラ１４０において実装されてもよく、あるいは結合をもつ別個の装置に実装されてもよい。
【００２４】
解釈器モジュール２１２は、印刷ジョブの画像（たとえば生のシート面〔シートサイド〕画像、たとえばシート・イメージ１２０）を解釈、レンダリング、ラスタ化または他の仕方で変換して、シート面ビットマップにするよう動作可能である。解釈器モジュール２１２によって生成されるシート面ビットマップは、それぞれ、印刷ジョブの画像（たとえば連続階調画像（CTI:  Continuous  Tone  Image）またはコントーン（contone））を表わすピクセルの二次元アレイであり、フル・シート面ビットマップとも称される。
【００２５】
二次元ピクセル・アレイが「フル」シート面ビットマップと考えられるのは、かかるビットマップが画像のピクセルの集合全体を含むからである。解釈器モジュール２１２は、複数の生のシート面を同時並行して解釈またはレンダリングするよう動作可能であり、それによりレンダリングのレートは実質的に、プロダクション印刷エンジンのイメージングのレートにマッチする。連続階調データはプリンター１６０に送信される。
【００２６】
ハーフトーン化モジュール２１４は、シート面ビットマップを、インクのハーフトーン・パターンとして表現するよう動作可能である。たとえば、ハーフトーン化モジュール２１４は、諸ピクセルを、紙に印加するためのCMYKインクのハーフトーン・パターンに変換してもよい。そのような実施形態では、ハーフトーン化は、印刷コントローラ１４０の外部およびプリンター１６０の内部で実行される。ハーフトーン化されたデータ（たとえば滴サイズ）が印刷コントローラ１４０にとって利用可能でないからである。
【００２７】
較正モジュール２１６は、公称動作環境、プリンター設定および目標媒体についての目標較正プリンター応答になるようプリンター１６０を較正するよう実装される。ある実施形態では、階調範囲全体にわたって目標OD値をインク堆積レベルに関係付けるインク・モデルに加えて、目標較正プリンター応答およびヒストグラム・データが、色ごとにプリンター１６０によって使われるインクの量（たとえばインク堆積または質量）の推定値（たとえばインク推定データ）を計算するために使われる。
【００２８】
推定されたインク量と測定されたインク量の間の差をコスト関数として使って、コスト関数が最小化されるまで、インク・モデルにおけるパラメータが、非線形最適化を使って変えられていく。ひとたびコスト関数が最小化されたら、インク・モデルは、目標値とインク堆積との間の関係を正確に予測する。インク・モデルからの収束後の結果をその最適化されたパラメータおよび目標較正プリンター応答と組み合わせて、較正されたプリンター・システムのためのインク堆積曲線が得られる。インク・モデルは、目標OD値をインク堆積に関係付ける（たとえば、インク堆積レベル（マイクロリットル毎平方センチメートル）に対する光学密度（OD））。目標較正プリンター応答の例は、グレー・レベルに対する線形ODである。
【００２９】
インク堆積曲線計算論理２２０は、インク堆積曲線を計算するよう実装される。ある実施形態によれば、インク堆積曲線計算論理２２０は、プリンター１６０に設置されている各原色インク（たとえばCMYK、MICR、コーティングまたは他のマーキング材料）のためのインク測定モジュール１６５からのインク測定データ（体積または質量）と、印刷コントローラ１４０のヒストグラム・データとを受け取る。
【００３０】
ある実施形態では、インク測定データは、ヒストグラムにおけるデータに対応する。対応するというのは、いずれも同じ印刷されたページについてのデータを表わすという意味においてである。インク測定データおよびヒストグラム・データは、同じ試験印刷ジョブに関連しているか、あるいは所与の時間期間における同じ印刷をカバーするものでありうる。あるさらなる実施形態では、インク堆積曲線計算論理２２０は、色ごとにプリンター１６０における試験印刷ジョブの印刷を完了するために使用されたインク供給量を示すインク測定データをも受け取る。
【００３１】
ある実施形態では、インク測定プロセスを容易にするために、試験印刷ジョブが使われる。インク測定プロセスは、試験印刷ジョブを印刷するために使われるそれぞれの原色インクについてのインク供給使用量（体積または質量）を測定する。階調範囲全体について印刷する画像内容をもつ試験印刷ジョブは、インク堆積曲線の正確さを助ける。あるさらなる実施形態では、試験印刷ジョブにおいて印刷されるべきいくつかのプリントは、試験印刷ジョブを印刷することにおいて使われる推定されるインク体積（または質量）が、インク測定モジュール１６５において実行されるインク堆積（または質量）測定プロセスに付随する誤差の大きさより有意に大きいように決定される。その後、推定されたいくつかのプリントが、プリンター設定およびプリンター動作環境を使ってプリンター１６０において印刷される。ひとたび試験ジョブの印刷が開始されたら、インク測定プロセスの正確さを最大にするため、プリンター１６０は、最小化されたダウン時間で、連続的に印刷されてもよい。
【００３２】
他の実施形態では、前記プロセスは、プリンターの動作をモニタリングするよう、リアルタイムの仕方で動作させられることもできる。そのようなシステムでは、インク堆積曲線の生成は、連続的になされる。このプロセスを開始するために、正確なインク・モデルおよびインク堆積曲線が、プリンター・システム１３０の較正直後に決定される。ひとたびインク・モデルおよびインク堆積曲線が、較正されるシステムについて正確に確立されたら、印刷システム１３０はモニタリングされ、インク堆積曲線は、プリンターからのデータ（たとえばインク測定データ）の連続的な報告と、ヒストグラム・データの連続的な生成との組み合わせに基づいて生成される。
【００３３】
連続的に生成されるインク堆積曲線を、いったん決定された正確なインク・モデルと組み合わせたものは、プリンターの現在状態を示すプリンター応答曲線（たとえば、グレー・レベルに対するODまたはデジタル・カウントに対するOD）を生成するために使われる。プリンターの現在状態と目標の較正されたプリンター応答との間の差が、初期の較正された状態からどのくらいのドリフトが生じたか（たとえば階調範囲全体についてのOD変化）を決定するために動的に使われる。このドリフト情報が、プリンターからの非OD測定データに基づいていることを理解しておくべきである。こうして、ドリフト情報は、プリンター・システム１３０において生じているOD変化を、インク測定データおよびヒストグラム・データに基づいて推定する手段を提供する。そのようなシステムの利用により、プリンター・システムが所望される目標の較正されたプリンター応答からあまりに遠くドリフトしてしまったときに、プリンター・システムの動作を止めることができる。
【００３４】
インク堆積曲線計算論理２２０は、試験印刷ジョブの印刷の間にインクジェット・フラッシュ（flushing）動作がアクティブであるときにインク堆積曲線を計算するよう実装されてもよい。ある実施形態では、前記測定データは、各色平面について実行されるフラッシュ動作の間に消費される30A4ンクと、印刷ジョブの各色平面を印刷するために使われる実際のインクとの測定値を含む。
【００３５】
ヒストグラム・データがフラッシュするインクを含む場合、インク・モデル回帰は、フラッシュするインクを含むプリンター１６０から報告されたインク総量を使う。ヒストグラム・データがフラッシュするインクを含まない場合には、試験ページの印刷の間に生じた色平面ごとのフラッシュするインクの量が、測定されたインク・データ（これはその場合、生の測定されたインク・データと考えられてもよい）から減算されて、補正された測定されたインク・データ量が得られ、それが次いでインク・モデル回帰プロセスまたはインク堆積曲線生成プロセスにおいて使われる。
【００３６】
インク堆積曲線計算論理２２０は、試験ページの印刷の間に生起した色平面毎のフラッシュ・インクの量を受け取ってもよい。あるいはまた、インク堆積曲線計算論理２２０は、試験ページの印刷の間に生起した色平面毎のフラッシュ・インクの量を、既知のフラッシュ・インク流量〔フロー・レート〕および試験ページの印刷の既知の適用可能な期間（たとえばページ毎のインクのマイクロリットル数かける印刷されるページの数）に基づいて決定してもよい。
【００３７】
あるさらなる実施形態では、インク堆積曲線計算論理２２０は、試験印刷ジョブを印刷するために実装される各色平面についてヒストグラム（たとえば、一つ一つのグレー・レベルについてのピクセル数の分布）を生成する。そのような実施形態では、ヒストグラムは、試験印刷ジョブの各色平面に対応する連続階調画像を受け取り、許容可能なデジタル・カウント値（たとえば0〜255）の全範囲にわたって各画素についてデジタル・カウント値（たとえば0%〜100%）を実行することによって生成される。連続階調画像について、色平面毎のグレー・レベルの総数＝2nであり、n＝ビット深さである。よって、CMYK色空間における印刷ジョブについてすべての可能な色を定義するためには四つのヒストグラムが生成され、さらに他の平面（たとえばMICRまたは保護被覆（Protector  Coat））についてヒストグラムが生成されることもできる。
【００３８】
インク堆積曲線計算論理２２０は、インク堆積曲線データを、ヒストグラムおよびインク測定データに基づいて計算してもよい。ある実施形態では、インク堆積曲線は、インク・モデルを使って計算される。インク・モデルは、印刷システム１３０についての、堆積に対する光学濃度（OD）（たとえば、単位面積当たりのインク・カバレッジ）の関係を表わす。そのような実施形態では、堆積に対する光学密度の関係は、四パラメータのワイブル（Weibull）関数を使って計算される。しかしながら、他の実施形態は、堆積に対する光学密度の関係を計算するために他の関数を実装する。さらに他の実施形態では、ルックアップテーブルが実装されてもよい。
【００３９】
もう一つの実施形態では、印刷システム１３０は、エンジン較正システムにおける恒等伝達関数を使って、未較正で動作させられる。この場合、未較正のプリンター応答（たとえばグレー・レベルに対するODの応答）は、色ごとに、試験印刷ジョブの画像の対応するグレー・レベルに相関付けされた印刷測定データに基づいて決定される。インク・モデルおよびインク堆積曲線は、この未較正システムについて、未較正のプリンター応答、ヒストグラムおよびインク使用に基づいて先述したように生成される。そのようなシステムは、最大の印刷およびインク送達能力（たとえば、最大の可能なODおよび最大のインク堆積）を達成する。前記インク・モデルに基づいて、任意の目標較正プリンター応答について、異なるインク堆積曲線が計算されることができる。したがって、インク堆積の量は、任意の目標プリンター応答について一般的な場合について決定されることができる。
【００４０】
目標ODは、定義により、未較正のODより小さく、インク堆積は当該システムについて可能なの最大送達より小さい。これは補間であり、最高の精度を提供する。それぞれ対応するプリンター応答をもつプレミアム、ベター、良好といった種々のインク・モードについて、複数のインク曲線がこのようにして計算されてもよい。
【００４１】
計算後、インク堆積曲線計算論理２２０は、インク堆積曲線を必要とする任意の将来のプリンター機能に関して支援するために、プリンター１６０におけるインストールのために、前記インク堆積曲線を送信する。他の実施形態では、インク堆積曲線、インク・モデル・パラメータ、プリンター設定および／またはODドリフト推定値がコンピューティング装置（たとえばホスト１１０）に送信されてもよく、あるいはGUI  ２３０を介してアクセスされてもよい。
【００４２】
図３は、インク堆積曲線を計算するためのプロセス３００のある実施形態を示す流れ図である。プロセス３００は、ハードウェア（たとえば回路、専用論理、プログラム可能な論理など）、ソフトウェア（たとえば処理装置上で実行される命令）またはそれらの組み合わせを含みうる処理論理によって実行されてもよい。ある実施形態では、プロセス３００は、インク堆積曲線計算論理２２０によって実行されてもよい。プロセス３００は、呈示の簡明のために線形序列で示されているが、それらのうちの任意の数が並列に、非同期的に、あるいは異なる順序で実行されることができることが考えられている。簡明および理解の容易のため、図１および図２を参照して論じた詳細の多くはここでは論じたり繰り返したりしない。
【００４３】
プロセス３００は、プリンター１６０が較正される処理ブロック３１０で始まる。処理ブロック３２０では、それぞれの色平面についてヒストグラムが受領される。上記で論じたように、色ヒストグラムは、試験印刷ジョブについて各色平面に対応する連続階調画像に基づいて生成される。図４は、ヒストグラムを生成するプロセス４００のある実施形態を示す流れ図である。処理ブロック４１０では、試験印刷ジョブについての印刷ジョブ・データが受信される。ある実施形態では、印刷ジョブ・データと一緒にジョブ・チケット（たとえばジョブ定義フォーマット（JDF:  Job  Definition  Format））も受領される。もう一つの実施形態では、試験印刷ジョブ・データは記憶されており、印刷のために印刷システム１３０において取り出される。処理ブロック４２０では、前記印刷ジョブおよびもし含まれていればジョブ・チケットに基づいて連続階調画像が生成される。処理ブロック４３０では、連続階調画像に基づいて各色平面についてヒストグラムが生成される。
【００４４】
図３に戻って参照するに、色平面毎のインク測定データ（たとえばインク使用測定）が、処理ブロック３３０において受領される。上記で論じたように、インク推定（たとえばインク使用推定）が、試験印刷ジョブの印刷の間に捕捉されたインク測定データを使って計算される。図５は、インク推定値を計算するためのプロセス５００のある実施形態を示す流れ図である。
【００４５】
処理ブロック５１０では、プリンター設定データが受領される。ある実施形態では、プリンター設定データは、印刷解像度、フラッシュ・パターン、アンダーコート／オーバーコート・パターン、インク選択、モデル・プリンター、インクジェット印刷ヘッドおよび／または駆動波形を含み、これらは（たとえばGUI  ２３０を介して）受領されてもよい。処理ブロック５２０において、プリンター設定はプリンター１６０に適用される。処理ブロック５３０では、試験印刷ジョブに含まれる印刷画像の数が判別される。処理ブロック５４０では、試験印刷ジョブが印刷される。処理ブロック５５０では、それぞれの色平面について、インク測定データがインク測定モジュール１６５から受領される。
【００４６】
上記で論じたように、インク測定データは、試験印刷ジョブを印刷するために使われるインクおよびフラッシュの間に消費されるインクを含む。さらに、先述したように、測定されたインク・データは、ヒストグラム・データが決定される仕方（たとえばフラッシュありかなしか）に依存して、プロセスにおいて調整される必要があることがある。処理ブロック５６０では、印刷測定データが印刷測定モジュール１９０から受領され、色平面毎の推定されたインク使用（体積または質量）が、該印刷測定データに基づいて計算される。処理ブロック５６０は、インク測定が受領される（処理ブロック５５０）がインク推定値が必要とされない実施形態ではスキップされてもよい。
【００４７】
図３に戻って参照するに、インク堆積曲線データが、各色平面について、インク測定データおよび色ヒストグラムに基づいて計算される（処理ブロック３４０）。処理ブロック３５０では、インク堆積曲線データが送信され（たとえば報告され）、プリンター設定データを含んでいてもよい。ある実施形態では、インク堆積曲線データはGUI  ３４０を介した表示のために送信される。しかしながら、他の実施形態では、インク堆積曲線データは、プリンター１６０におけるその後のインストールおよび実装のために、プリンター１６０に送信されてもよい。
【００４８】
判断ブロック３６０において、インク堆積曲線データが再計算されることを必要とする印刷システム１３０への更新があったかどうかについて判定がされる。再計算されたインク堆積曲線を必要とする更新は、インク滴サイズに影響するプリンター設定変更（たとえばインクジェット印刷ヘッド・ドライバー波形およびインク種別／セットへの変更）を含んでいてもよい。もし変更があれば、制御は処理ブロック３３０〜３６０の実行のために復帰する。
【００４９】
図６は、試験印刷ジョブ、較正プリンター応答データ、ヒストグラム・データおよびインク使用測定に基づいてインク堆積曲線を計算するためのプロセスのある実施形態を示すグラフィックな流れ図である。図６に示されるように、未較正のプリンターについてのインク堆積曲線も示されている。これは、線形OD較正済みプロセスの代わりに未較正のプリンターOD応答を使って決定されたものである。これは、代替的な測定された応答または目標応答に基づく複数インク堆積曲線決定機能を示している。
【００５０】
図７は、印刷システム１３０および／または印刷コントローラ１４０が実装されうるコンピュータ・システム９００を示している。コンピュータ・システム９００は、情報を通信するためのシステム・バス９２０と、情報を処理するためのバス９２０に結合されたプロセッサ９１０とを含む。
【００５１】
コンピュータ・システム９００はさらに、情報およびプロセッサ９１０によって実行される命令を記憶するための、バス９２０に結合された、ランダム・アクセス・メモリ（RAM）または他の動的記憶デバイス９２５（ここではメイン・メモリと称される）を有する。メイン・メモリ９２５はまた、プロセッサ９１０による命令の実行の間に一時変数または他の中間情報を記憶するためにも使われてもよい。コンピュータ・システム９００は、プロセッサ９１０によって使用される静的な情報および命令を記憶するための、バス９２０に結合された読み出し専用メモリ（ROM）およびまたは他の静的記憶デバイス９２６をも含んでいてもよい。
【００５２】
磁気ディスクまたは光ディスクおよびその対応するドライブのようなデータ記憶デバイス９２７も、情報および命令を記憶するために、コンピュータ・システム９００に結合されていてもよい。コンピュータ・システム９００は、I/Oインターフェース９３０を介して第二のI/Oバス９５０に結合されることもできる。表示装置９２４、装置キーボード（たとえば英数字入力装置）９２３およびまたはカーソル制御装置９２２を含む複数のI/OデバイスがI/Oバス９５０に結合されてもよい。通信装置９２１は、他のコンピュータ（サーバーまたはクライアント）にアクセスするためのものである。通信装置９２１はモデム、ネットワーク・インターフェース・カードまたはイーサネット〔登録商標〕、トークンリングまたは他の型のネットワークに結合するために使われるもののような他のよく知られたインターフェース・デバイスを有していてもよい。
【００５３】
本発明の実施形態は、上記のようなさまざまな段階を含みうる。これらの段階は、機械実行可能命令において具現されてもよい。該命令は、汎用または特殊目的のプロセッサにある種の段階を実行させるために使用されることができる。あるいはまた、これらの段階は、前記段階を実行するための固定結線論理を含む特定のハードウェア・コンポーネントによって、あるいはプログラムされたコンピュータ・コンポーネントおよびカスタム・ハードウェア・コンポーネントの任意の組み合わせによって実行されてもよい。
【００５４】
本発明の要素は、機械実行可能命令を記憶するための機械可読媒体として提供されてもよい。機械可読媒体は、これに限られないが、フロッピーディスケット、光ディスク、CD-ROMおよび光磁気ディスク、ROM、RAM、EPROM、EEPROM、磁気式または光学式カード、伝搬媒体または電子的な命令を記憶するために好適な他の型の媒体／機械可読媒体を含みうる。たとえば、本発明は、コンピュータ・プログラムとしてダウンロードされてもよく、該コンピュータ・プログラムは、リモート・コンピュータ（たとえばサーバー）から要求元コンピュータ（たとえばクライアント）に搬送波または他の伝搬媒体において具現されたデータ信号によって、通信リンク（たとえばモデムまたはネットワーク接続）を介して転送されてもよい。
【００５５】
本発明の多くの変更および修正が、上記の記述を読んだ当業者には明白となるにちがいないが、例として図示され、記載されたどの具体的な実施形態も、決して限定するものと考えられることは意図されていないことが理解される。よって、さまざまな実施形態の詳細への言及は、請求項の範囲を限定することは意図されておらず、請求項自身も、本発明にとって本質的であると見なされる特徴を記載するだけである。
【符号の説明】
【００５６】
１１０  ホスト・システム
１２０  シート・イメージ
１３０  印刷システム
１４０  印刷コントローラ
１５０  ビットマップ
１６０  プリンター
１６５  インク測定モジュール
１８０  印刷媒体
１９０  印刷測定モジュール
２１２  解釈器モジュール
２１４  ハーフトーン化モジュール
２１６  較正モジュール
２２０  インク堆積曲線計算論理
２３０  GUI
３１０  プリンターを較正
３２０  色ヒストグラムを受領
３３０  インク測定データを受領
３４０  インク堆積曲線を計算
３５０  インク堆積曲線データを送信
３６０  更新？
４１０  印刷ジョブ・データを受領
４２０  連続階調画像を生成
４３０  ヒストグラムを生成
５１０  プリンター設定を受領
５２０  プリンター設定をプリンターに適用
５３０  印刷すべき画像数を決定
５４０  画像を印刷
５５０  インク測定値を受領
５６０  インク体積推定値を計算
【図１】
2019151103.tif 000003
【図２】
2019151103.tif 000004
【図３】
2019151103.tif 000005
【図４】
2019151103.tif 000006
【図５】
2019151103.tif 000007
【図６】
2019151103.tif 000008
【図７】
2019151103.tif 000009